(57)【要約】      （修正有）【課題】小型化を実現しつつ、ユーザーが容易に保護カバーを着脱でき、表示部が故障した際に容易に交換可能な構成を実現する。【解決手段】本体と、本体の外部に配され外部と接続する電気接続部を有した表示部と、表示部に取り付けられ回動可能なヒンジと、ヒンジと本体を固定するヒンジ固定部材と、本体と表示部の間に配され本体に部分的に保持される被保持部を備えた蓋部材と、本体に具備され被保持部を保持する蓋保持部と、本体の内部に配され電気接続部と接続する電気接点部と蓋部材が配される箇所と一部が重なる位置に配された操作部もしくは端子部が具備される電気部材と、ヒンジと電気部材とを覆いかつヒンジ固定部材を覆い、かつ蓋部材の被保持部を部分的に保持する保持部を有するカバーとで構成され、カバーは本体から着脱可能なカバーを外した際にヒンジ固定部材と電気部材に具備される電気接点部と蓋部材の被保持部が外部に露出する。【選択図】図４
2019179059.tif 000002
【特許請求の範囲】
【請求項１】
電気機器であって、
本体と、
前記本体の外部に配されており外部と接続する電気接続部を有した表示部と、
前記表示部に取り付けられており少なくとも一方向に回動可能なヒンジと、
前記ヒンジと前記本体を固定するヒンジ固定部材と、
前記本体と前記表示部の間に配されており前記本体に部分的に保持される被保持部を備えた蓋部材と、
前記本体に具備されており前記被保持部を保持する蓋保持部と、
前記本体の内部に配されており前記表示部の前記電気接続部と接続する電気接点部と
前記本体から外部に露出しており前記蓋部材が配される箇所と少なくとも一部が重なる位置に配された操作部もしくは端子部が具備されている電気部材と、
前記ヒンジと前記電気部材とを部分的もしくは全てを覆いかつ少なくとも一つの前記ヒンジ固定部材を覆い、かつ前記蓋部材の前記被保持部を部分的に保持する保持部を有するカバーとで構成されており、前記カバーは前記本体から着脱可能となっており、前記カバーを外した際に前記ヒンジ固定部材全てと前記電気部材に具備される前記電気接点部と前記蓋部材の前記被保持部が外部に露出することを特徴とする電気機器。
【請求項２】
前記ヒンジは金属であって、さらに前記カバーが固定される被固定部が設けられており、前記カバーが前記被固定部に固定されることによって前記ヒンジに固定され、前記本体に取り付けられることを特徴とする請求項１に記載の電気機器。
【請求項３】
前記本体に撮像部を有する撮像装置の形態をとることを特徴とする請求項１又は請求項２に記載の電気機器。
【発明の詳細な説明】
【技術分野】
【０００１】
本発明は、電気機器に関する。
【背景技術】
【０００２】
ビデオカメラなどの電気機器は可搬性の向上などの理由から、小型で構成されることが求められている。電気機器を小型に構成するためには、限られた空間内で部品を構成する必要がある。そのため、部品そのものの小型化や部品点数を削減する必要性が生じている。
【０００３】
電気機器には液晶ディスプレイ（以降ＬＣＤと表記する）が備えられているものがある。例えばビデオカメラでは、ＬＣＤとビデオカメラ本体を回転ヒンジで取り付けることで、撮影状況に応じてＬＣＤを回動できるような構成になっているものがある。
【０００４】
しかし、ＬＣＤが故障した場合、ビデオカメラ本体を分解しないとヒンジが外せない構成になっている場合が多いため、交換が容易でない。そのため、電気機器のメンテナンス性の向上も求められている。
【０００５】
また、電気機器には動作の切り替えなどを行うスイッチ類や外部と通信するための端子類が設けられていることが多い。このことから、スイッチ類の誤操作防止や端子類の保護を目的とする蓋が設けられている場合があるが、使用する際に蓋の開閉を行わなければならず、ユーザーによっては煩わしさを感じる場合がある。そのため、蓋を任意に着脱できるようなユーザビリティの向上も求められている。
【０００６】
特許文献１の撮像装置は表示パネルを回動するヒンジ部の目隠し部を利用して外部機器接続部を保護する保護カバーを開閉しやすくすることで、ユーザビリティの向上と小型構成の実現を両立している。
【先行技術文献】
【特許文献】
【０００７】
【特許文献１】特開平１０−１２６５４１号公報
【発明の概要】
【発明が解決しようとする課題】
【０００８】
しかし、特許文献１に開示されている撮像装置は表示部を簡易的に着脱できる構成となっておらず、交換性については考慮されていない。また、外部機器接続部を保護する保護カバーも着脱できる構成になっておらず、ユーザーによっては外部機器接続時に煩雑さを感じてしまう恐れがある。
【０００９】
本発明は、上記の問題を鑑みてなされたものであり、電気機器の小型化を実現しつつ、スイッチ類の誤操作防止もしくは端子類の保護などを目的とした蓋をユーザーが任意にかつ容易に着脱でき、ＬＣＤなどの表示部が故障した際に容易に交換可能な構成を実現することを目的とする。
【課題を解決するための手段】
【００１０】
上記の目的を達成するために、本発明は、
電気機器であって、本体と、前記本体の外部に配されており外部と接続する電気接続部を有した表示部と、前記表示部に取り付けられており少なくとも一方向に回動可能なヒンジと、前記ヒンジと前記本体を固定するヒンジ固定部材と、前記本体と前記表示部の間に配されており前記本体に部分的に保持される被保持部を備えた蓋部材と、前記本体に具備されており前記被保持部を保持する蓋保持部と、前記本体の内部に配されており前記電気接続部と接続する電気接点部と前記本体から外部に露出しており前記蓋部材が配される箇所と少なくとも一部が重なる位置に配された操作部もしくは端子部が具備されている電気部材と、前記ヒンジと前記電気部材とを部分的もしくは全てを覆いかつ少なくとも一つの前記ヒンジ固定部を覆い、かつ前記蓋部材の前記被保持部を部分的に保持する保持部を有するカバーとで構成されており、前記カバーは前記本体から着脱可能となっており、前記カバーを外した際に前記ヒンジ固定部材全てと前記電気部材に具備される前記電気接点部と前記蓋部材の前記被保持部が外部に露出することを特徴とする。
【００１１】
この構成によれば、一つのカバーを外すことによって、ＬＣＤなどの表示部と誤操作防止や保護などを目的とする蓋の着脱が可能となる。そのため、必要最低限の部品点数で構成できるのと同時に表示部の交換と蓋の着脱が容易に行えるため、電気機器を小型に構成しつつ交換性とユーザビリティの向上を実現することが可能である。
【００１２】
また本発明は、前記ヒンジは金属であって、さらに前記カバーが固定される被固定部が設けられており、前記カバーが前記被固定部に固定されることによって前記ヒンジに固定され、前記本体に取り付けられることを特徴とする。
【００１３】
この構成によれば、カバーを固定する被固定部を電気機器本体に別途設ける必要がないため、小型に構成することが可能となる。さらに、被固定部が金属であるため、カバーを何度も着脱を行っても疲労によって被固定部が劣化しにくくなる。
【発明の効果】
【００１４】
本発明によれば、必要最低限の部品点数で構成できることから、電気機器の小型化が可能である。さらにＬＣＤなどの表示部や誤操作防止や保護などの用途で使用される蓋を容易に着脱することが可能となるので、故障時における表示部の交換性と使用時におけるユーザビリティの向上が行える。
【図面の簡単な説明】
【００１５】
【図１】撮像装置１１０の概略図
【図２】ＬＣＤユニット１６０およびオーディオ蓋１７０の開閉に関する概略図
【図３】ＬＣＤユニット１６０周りの構成に関する概略図
【図４】オーディオ蓋１７０およびＬＣＤユニット１６０の着脱に関する概略図
【発明を実施するための形態】
【００１６】
以下、本発明を実施するための形態について、図面を参照しながら説明する。
【実施例１】
【００１７】
図１は本発明に適用できる実施例における撮像装置１００であり、図１（ａ）は正面斜視図、図１（ｂ）は背面斜視図を示す。
【００１８】
本実施例の撮像装置１００は、撮影した画の記録などを行うための本体１１０と、撮影するために使用される光学部品であるレンズ１２０と、録画中の映像確認を行うために使用されるビューファインダー１３０と、撮影モードの切り替えなどを行う操作スイッチ１４０と、電源のオン／オフを行うための電源ダイヤル１５０と、回動することで開閉することが可能な構成で、ビューファインダー１３０および操作スイッチ１４０と同じ機能を有しかつ録画中もしくは録画した映像の確認を行うことができるＬＣＤを具備したＬＣＤユニット１６０で構成されているビデオカメラの形態をとる。
【００１９】
図２（ａ）はＬＣＤユニット１６０を開動作した時の状態を示す。
【００２０】
ＬＣＤユニット１６０はＬＣＤパネルユニット１６１（詳細は後述する）を開閉可能な構成となっている。ＬＣＤパネルユニット１６１が本体１１０側を向いている状態が閉状態であり、そこからＬＣＤパネルユニット１６１がユーザー側に向くように１８０°回動させることが可能である。
【００２１】
本体１１０には突き当て部１１１と凹部１１５が設けられている。突き当て部１１１はＬＣＤユニット１６０を閉じる際にＬＣＤパネルユニット１６１の外装カバーと接触する。これにより、閉動作時にＬＣＤパネルユニット１６１に傷が付かないよう保護している。凹部１１５には、回転操作することで録音レベルを調整できるオーディオ操作部１８１とオーディオ操作部１８１を誤操作防止するためのオーディオ蓋１７０が配されており、ＬＣＤユニット１６０が閉状態の時にＬＣＤパネルユニット１６１とオーディオ蓋１７０とが干渉しないようになっている。
【００２２】
オーディオ蓋１７０には回転軸１７１と誤操作防止穴１７２がある。回転軸１７１はオーディオ蓋１７０を開閉可能にするために、誤操作防止穴１７２はオーディオ操作部１８１が誤操作されるのを防ぐために設けられている。オーディオ操作部１８１とオーディオ蓋１７０はＬＣＤユニット１６０を開状態にすることでアクセス可能である。
【００２３】
図２（ｂ）はオーディオ蓋１７０を開動作した時の状態を示す。
【００２４】
オーディオ蓋１７０は回転軸１７１を支点として、ＬＣＤユニット１６０と同じ方向に開閉可能となっている。オーディオ蓋１７０が閉じている状態では、オーディオ操作部１８１が誤操作防止穴１７２にはまっており、オーディオ操作部１８１を回転操作できなくしているが、オーディオ蓋１７０を開くことによってオーディオ操作部１８１が操作可能となる。
【００２５】
図３はＬＣＤユニット１６０周りの構成について示しており、図３（ａ）、図３（ｂ）はそれぞれ撮像装置１００の略後方、略左側面から見た図である。
【００２６】
ＬＣＤユニット１６０周りの大まかな構成として、本体１１０と、ＬＣＤユニット１６０と、オーディオ蓋１７０と、電気基板１８０がある。詳細について以下に説明する。
【００２７】
（本体１１０）
本体１１０には突き当て部１１１、蓋保持部１１２、ビス穴１１３、ビス下穴１１４、凹部１１５がある。蓋保持部１１２はオーディオ蓋１７０を回動可能に保持するために設けられている。ビス穴１１３およびビス下穴１１４はＬＣＤユニット１６０を本体１１０に固定するために設けられている。
【００２８】
（ＬＣＤユニット１６０）
ＬＣＤユニット１６０はＬＣＤパネルユニット１６１、ヒンジユニット１６２、ヒンジカバー１６３で構成されている。ＬＣＤパネルユニット１６１には、ユーザーが撮像モードの切替が行え、録画中もしくは録画した映像の確認が行えるＬＣＤタッチパネル１６１ａと、ＬＣＤタッチパネル１６１ａと本体１１０とで通信を行うためのケーブル１６１ｂが設けられている。
【００２９】
ヒンジユニット１６２は金属製であり、ＬＣＤユニット１６０を開閉するための回転軸部１６２ａと、ヒンジユニット１６２と本体１１０とを固定するためのタップ穴１６２ｂ、ビス穴１６２ｃと、ヒンジユニット１６２とヒンジカバー１６３とを固定するためのタップ穴１６２ｄ、１６２ｅが設けられている。
【００３０】
ヒンジカバー１６３にはオーディオ蓋１７０を回転可能に保持するための蓋保持部１６３ａと、ヒンジユニット１６２とヒンジカバー１６３とを固定するためのビスボス１６３ｂ、ビス穴１６３ｃが設けられている。回転軸部１６２ａは円筒形状になっており、回転軸部１６２ａ内にケーブル１６１ｂが通っている。タップ穴１６２ｂはビス穴１１３と対応しており、ビス１９１で固定される。ビス穴１６２ｃは下穴１１４と対応しており、ビス１９２で固定される。タップ穴１６２ｄはビス穴１６３ｃと対応しており、ビス１９３で固定される。タップ穴１６２ｅはビスボス１６３ｂと対応しており、ビス１９４で固定される。また、タップ穴１６２ｄ、１６２ｅは金属に設けられているので、ビス１９３、１９４の取り外しを繰り返し行っても劣化しにくい。
【００３１】
（オーディオ蓋１７０）
オーディオ蓋１７０には回転軸１７１と誤操作防止穴１７２がある。回転軸１７１は、蓋保持部１１２、１６３ａで回動可能に保持されている。
【００３２】
（電気基板１８０）
電気基板１８０にはオーディオ操作部１８１とＬＣＤパネルユニット１６１と通信するためのコネクタ１８２が設けられている。電気基板１８０は本体１１０内部に配されており、オーディオ操作部１８１は本体１１０の外部に露出している。また、コネクタ１８２はヒンジカバー１６３の裏に配されており、ヒンジカバー１６３をヒンジユニット１６２から外した時にコネクタ１８２が外部に露出する。コネクタ１８２にはケーブル１６１ｂが接続され、また電気基板１８０と不図示であるメイン基板とが不図示であるケーブルで接続されることによって、電気基板１８０を中継基板としてＬＣＤパネルユニット１６１と不図示であるメイン基板とが通信される。
【００３３】
図４にオーディオ蓋１７０、ＬＣＤユニット１６０の着脱について示す。
【００３４】
図４（ａ）はヒンジカバー１６３を取り外した状態を示している。ヒンジカバー１６３はビス１９３と１９４を外しＤ１の方向に引き抜くことによって、ヒンジユニット１６２から外すことが可能である。ヒンジカバー１６３を外すことでオーディオ蓋１７０の回転軸１７１が外部に露出する。
【００３５】
図４（ｂ）は図４（ａ）の状態からオーディオ蓋１７０を取り外した状態を示している。前述したとおり図４（ａ）の状態で回転軸１７１が外部に露出していることから、オーディオ蓋１７０をＤ２の方向に引き抜くことが可能である。オーディオ蓋１７０を引き抜いた状態でヒンジカバー１６３を戻し固定すれば、オーディオ蓋１７０が無い形態の撮像装置１００となる。これによって、ユーザーはＬＣＤユニット１６０を開くのみでオーディオ操作部１８１を操作できるようになり、ユーザーが操作の煩雑さを感じにくくすることが可能である。
【００３６】
図４（ｃ）は図４（ａ）の状態からＬＣＤユニット１６０を取り外した状態を示している。図４（ａ）の状態に対し、さらにビス１９１、１９２を取り外し、ケーブル１６１ｂをコネクタ１８２から外すことによって、ＬＣＤユニット１６０を本体１１０から外せる状態になる。図４（ａ）の状態でビス１９１、１９２、ケーブル１６１ｂおよびコネクタ１８２は外部に露出している状態であるので、ビス１９１、１９２、ケーブル１６１ｂの取り外し作業が容易に行うことができる。これらの取り外し作業を終えた状態からＬＣＤパネルユニット１６１をＤ１の方向に引き抜くことによって、ヒンジユニット１６２ごと取り外すことが可能である。これによって、例えばＬＣＤパネル１６１ａが故障して映らなくなった場合に、本体１１０を分解することなくＬＣＤパネル１６１ａを交換することが可能である。
【００３７】
以上のように、本発明を適用することによって必要最低限の部品点数で構成できることから撮像装置１００を小型に構成することが可能である。また、オーディオ蓋１７０とＬＣＤユニット１６０を本体１１０を分解せずに容易に着脱することが可能であるため、ユーザーがオーディオ蓋１７０の有無を任意に選択しやすくなりユーザビリティの向上が期待できる。さらにＬＣＤパネルユニット１６１が故障した際の交換も容易に行うことが可能となる。
【符号の説明】
【００３８】
１００  撮像装置、１１０  本体、１１１  突き当て部、１１２  蓋保持部、
１１３  ビス穴、１１４  ビス下穴、１１５  凹部、１２０  レンズ、
１３０  ビューファインダー、１４０  操作スイッチ、１５０  電源ダイヤル、
１６０  ＬＣＤユニット、１６１  ＬＣＤパネルユニット、
１６１ａ  ＬＣＤタッチパネル、１６１ｂ  ケーブル、１６２  ヒンジユニット、
１６２ａ  回転軸部、１６２ｂ，１６２ｄ，１６２ｅ  タップ穴、１６２ｃ  ビス穴、
１６３  ヒンジカバー、１６３ａ  蓋保持部、１６３ｂ  ビスボス、
１６３ｃ  ビス穴、１７０  オーディオ蓋、１７１  回転軸、１７２  誤操作防止穴、
１８０  電気基板、１８１  オーディオ操作部、１８２  コネクタ、
１９１，１９２，１９３，１９４  ビス
【図１】
2019179059.tif 000003
【図２】
2019179059.tif 000004
【図３】
2019179059.tif 000005
【図４】
2019179059.tif 000006